(57)【要約】  本開示は、情報送信方法および装置を提供し、該情報送信方法は、送信待ちの上り情報および／またはリファレンス信号を確定することと、前記上り情報および／またはリファレンス信号を第１シーケンスで通信ノードに送信することと、を含む。本開示によれば、櫛状伝送の際にシーケンスを用いて上り情報を送信する技術案を提供した。【選択図】図２
2021506158.tif 000002
【特許請求の範囲】
【請求項１】
送信待ちの上り情報および／またはリファレンス信号を確定することと、
前記上り情報および／または前記リファレンス信号を第１シーケンスで通信ノードに送信することと、
を含む、情報送信方法。
【請求項２】
前記上り情報は、上り制御情報と上りデータ情報との少なくとも１つを含む、請求項１に記載の情報送信方法。
【請求項３】
第１シーケンスで前記上り情報を通信ノードに送信することは、
前記上り情報の数が２つ以下の場合、Ｋ１個のシンボルのＬ個のサブキャリアで１つ以上の長さがＭである第１シーケンスを通信ノードに送信し、前記上り情報は、前記第１シーケンスに載せられ、Ｋ１≧１であり、Ｌは２以上の整数であり、Ｍ≦Ｌであること、を含む、請求項１に記載の情報送信方法。
【請求項４】
第１シーケンスで前記上り情報と前記リファレンス信号を通信ノードに送信することは、
Ｋ２個のシンボルのＬ個のサブキャリアで前記上り制御情報と前記上り制御情報に対応するリファレンス信号を送信し、Ｋ２≧２であること、を含む、請求項２に記載の情報送信方法。
【請求項５】
Ｋ２個のシンボルのＬ個のサブキャリアで前記上り制御情報と前記上り制御情報に対応するリファレンス信号を送信することは、
長さがＭである第１シーケンスによって前記Ｋ２個のシンボル内のｘ個のシンボルのＭ個のサブキャリアで、変調された前記上り制御情報を送信し、長さがＭである第１シーケンスによってＫ２−ｘ個のシンボルのＭ個のサブキャリアで対応するリファレンス信号を送信し、前記第１シーケンスのＭ個の値は、前記Ｍ個のサブキャリアにマッピングされ、Ｌは２以上の整数であり、Ｍ≦Ｌであり、０＜ｘ＜Ｋ２であること、を含む、請求項４に記載の情報送信方法。
【請求項６】
Ｋ２個のシンボルのＬ個のサブキャリアで前記上り制御情報と前記上り制御情報に対応するリファレンス信号を送信することは、
前記Ｋ２個のシンボル内のｘ個のシンボルのＭ個のサブキャリアで符号化して変調された前記上り制御情報を送信し、長さがＭである第１シーケンスによってＫ２−ｘ個のシンボルのＭ個のサブキャリアで対応するリファレンス信号を送信し、前記シーケンスのＭ個の値は、前記Ｍ個のサブキャリアにマッピングされ、Ｋ２≧２であり、Ｌは２以上の整数であり、０＜ｘ＜Ｋ２であり、Ｍ≦Ｌあること、を含む、請求項４に記載の情報送信方法。
【請求項７】
Ｌの値は３または１２の倍数である、請求項４に記載の情報送信方法。
【請求項８】
前記第１シーケンスは、長さがＭであるシーケンスセットのサブセットであり、Ｍは、前記上り情報または前記上り情報またはリファレンス信号に使用されるサブキャリアの数に対応し、Ｍ＝６であり、前記シーケンスセットは、３０個のシーケンスを含み、前記３０個のシーケンスは、
各シーケンスの異なる循環シフトは直交することと、
各シーケンスのキュービックメトリック値は、第１キュービックメトリックプリセット値を超えないことと、
各シーケンスのピーク対平均電力比値は、第１ピーク対平均電力比プリセット値を超えないことと、
任意の２つのシーケンスの相互相関は、第１相互相関プリセット値を超えないことと、
の少なくとも１つの条件を満たす、請求項１に記載の情報送信方法。
【請求項９】
前記シーケンスセットのいずれかのシーケンスｘｉ（ｎ）は、以下の式で表し、
ｘｉ（ｎ）＝ｅｘｐ（ｊπφ（ｎ）／４）
【表１】
2021506158.tif 000023
ｉはシーケンスインデックスであり、ｎ＝０，１，…，Ｍ−１であり、ｉとφ（ｎ）の値は、表１に示すようにプリセットの対応関係であり、または、表１の各行の対応するシーケンスの循環シフトである、請求項８に記載の情報送信方法。
【請求項１０】
前記第１シーケンスは、長さがＭであるシーケンスセットのサブセットであり、Ｍは、前記上り情報または前記上り情報またはリファレンス信号に使用されるサブキャリアの数に対応し、Ｍ＝６であり、前記シーケンスセットは、１４個のシーケンスを含み、前記１４個のシーケンスは、
各シーケンスの異なる循環シフトは直交することと、
各シーケンスのキュービックメトリック値は、第２キュービックメトリックプリセット値を超えないことと、
各シーケンスのピーク対平均電力比値は、第２ピーク対平均電力比プリセット値を超えないことと、
任意の２つのシーケンスの相互相関は、第２相互相関プリセット値を超えないことと、
の少なくとも１つの条件を満たす、請求項１に記載の情報送信方法。
【請求項１１】
前記シーケンスセットのいずれかのシーケンスｘｉ（ｎ）は、以下の式で表し、
ｘｉ（ｎ）＝ｅｘｐ（ｊπφ（ｎ）／４）
【表２】
2021506158.tif 000024
ｉはシーケンスインデックスであり、ｎ＝０，１，…，Ｍ−１であり、ｉとφ（ｎ）の値は、表２に示すようにプリセットの対応関係であり、または、表２の各行の対応するシーケンスの循環シフトである、請求項１０に記載の情報送信方法。
【請求項１２】
前記第１シーケンスは、長さがＭであるシーケンスセットのサブセットであり、Ｍは、前記上り情報または前記上り情報またはリファレンス信号に使用されるサブキャリアの数に対応し、Ｍ＝６であり、前記シーケンスセットは、１４個のシーケンスを含み、前記１４個のシーケンスは、
各シーケンスの異なる循環シフトは直交することと、
各シーケンスのキュービックメトリック値は、第３キュービックメトリックプリセット値を超えないことと、
各シーケンスのピーク対平均電力比値は、第３ピーク対平均電力比プリセット値を超えないことと、
任意の２つのシーケンスの相互相関は、第３相互相関プリセット値を超えないことと、
各シーケンスと長さが１２である第１既存シーケンスとの相互相関は、第４プリセット値を超えないことと、
の少なくとも１つの条件を満たす、請求項１に記載の情報送信方法。
【請求項１３】
前記シーケンスセットのいずれかのシーケンスｘｉ（ｎ）は、以下の式で表し、
ｘｉ（ｎ）＝ｅｘｐ（ｊπφ（ｎ）／４）
ｉはシーケンスインデックスであり、ｎ＝０，１，…，Ｍ−１であり、ｉとφ（ｎ）の値は、表３に示すようにプリセットの対応関係であり、または、表３の各行の対応するシーケンスの循環シフトであり、
【表３】
2021506158.tif 000025
前記長さが１２である第１既存シーケンスｙｉ（ｎ）は、以下の式で表し、
ｙｉ（ｎ）＝ｅｘｐ（ｊπφ（ｎ）／４）
【表４】
2021506158.tif 000026
【表５】
2021506158.tif 000027
ｉはシーケンスインデックスであり、ｎ＝０，１，…，１１であり、ｉとφ（ｎ）の値は、表４または表５に示すようにプリセットの対応関係であり、または、表４または表５の各行の対応するシーケンスの循環シフトである、請求項１２に記載の情報送信方法。
【請求項１４】
前記第１シーケンスは、長さがＭであるシーケンスセットのサブセットであり、Ｍは、前記上り情報または前記上り情報またはリファレンス信号に使用されるサブキャリアの数に対応し、Ｍ＝１２であり、前記シーケンスセットは、３０個のシーケンスを含み、前記３０個のシーケンスは、
各シーケンスの異なる循環シフトは直交することと、
各シーケンスのキュービックメトリック値は、第４キュービックメトリックプリセット値を超えないことと、
各シーケンスのピーク対平均電力比値は、第４ピーク対平均電力比プリセット値を超えないことと、
任意の２つのシーケンスの相互相関は、第５相互相関プリセット値を超えないことと、
各シーケンスと長さが１２である第２既存シーケンスとの相互相関は、第６プリセット値を超えないことと、
の少なくとも１つの条件を満たす、請求項１に記載の情報送信方法。
【請求項１５】
前記シーケンスセットのいずれかのシーケンスｘｉ（ｎ）は、以下の式で表し、
ｘｉ（ｎ）＝ｅｘｐ（ｊπφ（ｎ）／４）
ｉはシーケンスインデックスであり、ｎ＝０，１，…，Ｍ−１であり、ｉとφ（ｎ）の値は、表６に示すようにプリセットの対応関係であり、または、表６の各行の対応するシーケンスの循環シフトであり、
【表６】
2021506158.tif 000028
前記長さが１２である第２既存シーケンスｙｉ（ｎ）は、以下の式で表し、
ｙｉ（ｎ）＝ｅｘｐ（ｊπφ（ｎ）／４）
ｉはシーケンスインデックスであり、ｎ＝０，１，…，１１であり、ｉとφ（ｎ）の値は、表６に示すようにプリセットの対応関係であり、または、表６の各行の対応するシーケンスの循環シフトである、請求項１４に記載の情報送信方法。
【請求項１６】
前記第１シーケンスは、長さがＭであるシーケンスセットのサブセットであり、Ｍは、前記上り情報または前記上り情報またはリファレンス信号に使用されるサブキャリアの数に対応し、Ｍ＝１８であり、前記シーケンスセットは、３０個のシーケンスを含み、前記３０個のシーケンスは、
各シーケンスの異なる循環シフトは直交することと、
各シーケンスのキュービックメトリック値は、第５キュービックメトリックプリセット値を超えないことと、
各シーケンスのピーク対平均電力比値は、第５ピーク対平均電力比プリセット値を超えないことと、
任意の２つのシーケンスの相互相関は、第６相互相関プリセット値を超えないことと、
各シーケンスと長さが１８である第３既存シーケンスとの相互相関は、第７プリセット値を超えないことと、
の少なくとも１つの条件を満たす、請求項１に記載の情報送信方法。
【請求項１７】
前記シーケンスセットのいずれかのシーケンスｘｉ（ｎ）は、以下の式で表し、
ｘｉ（ｎ）＝ｅｘｐ（ｊπφ（ｎ）／４）
ただし、ｉはシーケンスインデックスであり、ｎ＝０，１，…，Ｍ−１であり、ｉとφ（ｎ）の値は、表７に示すようにプリセットの対応関係であり、または、表７の各行の対応するシーケンスの循環シフトであり、
【表７】
2021506158.tif 000029
前記長さが１８である第３既存シーケンスｙｉ（ｎ）は、以下の式で表し、
ｙｉ（ｎ）＝ｅｘｐ（ｊπφ（ｎ）／４）
【表８】
2021506158.tif 000030
ｉはシーケンスインデックスであり、ｎ＝０，１，…，１７であり、ｉとφ（ｎ）の値は、表８に示すようにプリセットの対応関係であり、または、表８の各行の対応するシーケンスの循環シフトである、請求項１６に記載の情報送信方法。
【請求項１８】
前記第１シーケンスは、長さがＭであるシーケンスセットのサブセットであり、Ｍは、前記上り情報または前記上り情報またはリファレンス信号に使用されるサブキャリアの数に対応し、Ｍ＝２４であり、前記シーケンスセットは、３０個のシーケンスを含み、前記３０個のシーケンスは、
各シーケンスの異なる循環シフトは直交することと、
各シーケンスのキュービックメトリック値は、第６キュービックメトリックプリセット値を超えないことと、
各シーケンスのピーク対平均電力比値は、第６ピーク対平均電力比プリセット値を超えないことと、
任意の２つのシーケンスの相互相関は、第８相互相関プリセット値を超えないことと、
各シーケンスと長さが２４である第４既存シーケンスとの相互相関は、第９プリセット値を超えないことと、
の少なくとも１つの条件を満たす、請求項１に記載の情報送信方法。
【請求項１９】
前記シーケンスセットのいずれかのシーケンスｘｉ（ｎ）は、以下の式で表し、
ｘｉ（ｎ）＝ｅｘｐ（ｊπφ（ｎ）／４）
ただし、ｉはシーケンスインデックスであり、ｎ＝０，１，…，Ｍ−１であり、ｉとφ（ｎ）の値は、表９に示すようにプリセットの対応関係であり、または、表９の各行の対応するシーケンスの循環シフトであり、
【表９】
2021506158.tif 000031
前記長さが２４である第４既存シーケンスｙｉ（ｎ）は、以下の式で表し、
ｙｉ（ｎ）＝ｅｘｐ（ｊπφ（ｎ）／４）であり、
【表１０】
2021506158.tif 000032
ｉはシーケンスインデックスであり、ｎ＝０，１，…，２３であり、ｉとφ（ｎ）の値は、表１０に示すようにプリセットの対応関係であり、または、表１０の各行の対応するシーケンスの循環シフトである、請求項１８に記載の情報送信方法。
【請求項２０】
前記循環シフトｙｉ（ｎ，α）は、以下で表し、
ｙｉ（ｎ，α）＝ｘｉ（ｎ）ｅｘｐ（ｊ・２παｎ／Ｌ）
αは循環シフト量であり、値はα∈｛０，１，２，…，Ｌ−１｝である、請求項９、１１、１３、１５、１７、１９のいずれか１項に記載の情報送信方法。
【請求項２１】
シーケンスインデックスｉは、セル識別子に基づいて確定し、循環シフト量αは、前記通信ノードの指示シグナリングに基づいて確定し、または、
シーケンスインデックスｉおよび巡回シフト量αは、前記通信ノードの指示シグナリングに基づいて確定する、
請求項２０に記載の情報送信方法。
【請求項２２】
送信待ちの上り情報および／またはリファレンス信号を確定することに用いられる確定モジュールと、
前記上り情報および／またはリファレンス信号を第１シーケンスで通信ノードに送信することに用いられる送信モジュールと、
を備える、情報送信装置。
【請求項２３】
記憶したプログラムを含む記憶媒体であって、前記プログラムが作動されると、請求項１〜２１のいずれか１項に記載の情報送信方法を実行する、記憶媒体。
【請求項２４】
プログラムを作動させるプロセッサーであって、前記プログラムが作動されると、請求項１〜２１のいずれか１項に記載の情報送信方法を実行する、プロセッサー。
【発明の詳細な説明】
【技術分野】
【０００１】
本出願は、出願番号２０１７１１２７１４７７．３、出願日２０１７年１２月５日の中国特許出願に基づいて提出し、該中国特許出願の優先権を主張するものであり、該中国特許出願の全ての内容が引用により本出願に援用される。
【０００２】
本開示は、通信分野に関するがそれに限定されず、特に、情報送信方法および装置に関する。
【背景技術】
【０００３】
第４世代移動通信技術（ｔｈｅ  ４ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ，４Ｇ）、ロングタームエボリューション（Ｌｏｎｇ−Ｔｅｒｍ  Ｅｖｏｌｕｔｉｏｎ，ＬＴＥ）、ロングタームエボリューションアドバンスト（Ｌｏｎｇ−Ｔｅｒｍ  Ｅｖｏｌｕｔｉｏｎ  Ａｄｖａｎｃｅ，ＬＴＥ−Ａｄｖａｎｃｅ／ＬＴＥ−Ａ）と第５世代移動通信技術（ｔｈｅ  ５ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ，５Ｇ）の直面する要求がますます多くなってきた。現在の発展の傾向から見ると、４Ｇと５Ｇシステムは、いずれも、強化されたモバイルブロードバンド、超高信頼性、超低遅延伝送、大容量接続の特徴へのサポートを研究している。
【０００４】
新無線（Ｎｅｗ  Ｒａｄｉｏ，ＮＲ）技術では、物理上りトラヒックチャネルの伝送において、櫛形伝送をサポートし、すなわち伝送する場合、データは、割り当てられた帯域幅の奇数または偶数のサブキャリアのみを占有し、データチャネルに割り当てられた帯域幅が１つのリソースブロック（Ｒｅｓｏｕｒｃｅ  Ｂｌｏｃｋは、ＲＢと略称し、周波数領域において１２のサブキャリアに対応する）または３つのリソースブロックである場合、櫛状伝送を採用すると、リファレンス信号に使用されるシーケンスの長さは６および１８である。さらに、短い物理上り制御チャネル（ｓｈｏｒｔ  ＰＵＣＣＨ）は、シーケンスに基づいた形式を採用して最大２ビットの制御情報を搬送することに同意した。短いＰＵＣＣＨの持続時間が短いため、対応するシーケンスの設計に対して新しい要件が課される。したがって、シーケンス長が６、１２、１８、２４の新しいシーケンスの設計については、少なくとも短い物理上り制御チャネルに基づく上り制御情報の送信、および、櫛状の物理上り共有チャネルに基づくリファレンス信号に用いられるのは、早急に解決すべき問題となる。
【発明の概要】
【発明が解決しようとする課題】
【０００５】
本開示実施例は情報発送方法および装置を提供する。
【課題を解決するための手段】
【０００６】
本開示の実施例によれば、送信待ちの上り情報および／またはリファレンス信号を確定することと、前記上り情報および／またはリファレンス信号を第１シーケンスで通信ノードに送信することと、を含む情報送信方法を提供する。
【０００７】
本開示の他の実施例によれば、送信待ちの上り情報および／またはリファレンス信号を確定することに用いられる確定モジュールと、前記上り情報および／またはリファレンス信号を第１シーケンスで通信ノードに送信することに用いられる送信モジュールと、を備える情報送信装置を提供する。
【０００８】
本開示の更なる実施例によれば、記憶媒体を提供する。前記記憶媒体はプログラムを記憶するために用いられ、前記プログラムが作動されると、上述した情報送信方法を実行する。
【０００９】
本開示の更なる実施例によれば、プロセッサーを提供する。前記プロセッサーはプログラムを作動させるために用いられ、前記プログラムが作動されると、上述した情報送信方法を実行する。
【発明の効果】
【００１０】
本開示により、上り情報および／またはリファレンス信号は、第１シーケンスで通信ノードに送信し、シーケンスをリファレンス信号として使用し、または、直接上り情報を搬送することは、キュービックメトリックが小さく、アンプ効率が高いなどの利点があり、櫛状伝送の際にシーケンスを用いて上り情報を送信する技術案を提供し、隣接セルが使用するシーケンスインデックスが異なる場合、セル間干渉を低減し、システム全体の性能を向上させる効果もある。
【図面の簡単な説明】
【００１１】
ここで説明される図面は、本開示に対する更なる理解を提供し、本出願の一部を構成し、本発明の模式実施例およびその説明は、本開示を解釈するためのものであり、本開示の技術案を不適当に制限するものではない。
【図１】本開示実施例に係る情報送信方法の移動端末のハードウェア構造ブロック図である。
【図２】本開示実施例に係る情報送信方法のフローチャートである。
【図３】本開示実施例に係る情報送信装置の構造ブロック図である。
【図４】本開示の具体的な実施例１に係る情報送信の模式図である。
【図５】本開示の具体的な実施例２に係る情報送信の模式図である。
【図６】本開示の具体的な実施例３に係る情報送信の模式図である。
【図７】本開示の具体的な実施例４に係る情報送信の模式図である。
【発明を実施するための形態】
【００１２】
以下、図面を参照しながら実施例を結び付けて本開示を説明する。なお、衝突しない場合、本出願の実施例および実施例の特徴を組み合わせることができる。
【００１３】
なお、本開示の明細書と特許請求の範囲および上述した図面における「第１」と「第２」などの用語は、類似する対象を区別するためのものであり、特定の順序又は前後順序を説明するものではない。
【００１４】
本出願実施例１が提供する方法実施例は移動端末、コンピュータ端末又は類似する計算装置で実行してもよい。移動端末での実行を例として説明し、図１は本開示実施例に係る情報送信方法の移動端末のハードウェア構造ブロック図である。図１に示すように、移動端末１０は１つあるいは複数の（図には１つだけ示す）プロセッサー１０２（プロセッサー１０２はマイクロプロセッサーＭＣＵ又はプログラマブルロジックデバイスＦＰＧＡ等の処理装置を含むがそれに限定されない）、データ保存のメモリー１０４、および通信機能に用いられる伝送装置１０６を含んでもよい。当業者は、図１に示す構造は説明するためのものであり、上述した電子装置の構造への限定にならないことを理解できる。例えば、移動端末１０は図１と比べてより多いあるいはより少ないコンポーネントを有してもよく、あるいは図１と異なる配置を有してもよい。
【００１５】
メモリー１０４はアプリケーションのプログラムおよびモジュール、たとえば、本開示実施例の情報送信方法に対応するプログラムコマンド・モジュールを記憶するために用いられても良い。プロセッサー１０２は、メモリー１０４に記憶されるプログラムおよびモジュールを実行することで、各種機能の実行およびデータの処理を行い、上述した方法を実現する。メモリー１０４は、高速ランダムメモリーを含んでもよく、さらに不揮発性メモリー、たとえば、１つ又は複数の磁気記憶装置、フラッシュメモリー、あるいは、他の不揮発性のソリッドステートメモリーを含んでもよい。一部のインスタンスにおいて、メモリー１０４はさらにプロセッサー１０２に対しリモートで設けられたメモリーを含んでもよく、これらリモートメモリーはネットワークによって移動端末１０に接続してもよい。前記ネットワークのインスタンスは、インターネット、イントラネット、ローカルエリアネットワーク、モバイル通信ネットワーク、およびそれらの組み合わせを含んだが、それに限定されない。
【００１６】
伝送装置１０６は１つのネットワークを経由してデータを受送信する。前記ネットワークの具体的なインスタンスは、移動端末１０の通信プロバイダーより提供する無線ネットワークを含んでもよい。１つのインスタンスにおいて、伝送装置１０６は１つのネットワークインターフェースコントローラー（Ｎｅｔｗｏｒｋ  Ｉｎｔｅｒｆａｃｅ  Ｃｏｎｔｒｏｌｌｅｒ、ＮＩＣ）を含み、基地局によって他のネットワーク機器と接続し、インターネットと通信することが可能である。１つのインスタンスにおいて、伝送装置１０６は高周波（Ｒａｄｉｏ  Ｆｒｅｑｕｅｎｃｙ、ＲＦ）モジュールであり、無線態様によってインターネットと通信できる。
【００１７】
本出願実施例のネットワークアーキテクチャは、基地局に上り情報を送信する端末と、基地局とを含む。
【００１８】
本実施例では、上記ネットワークアーキテクチャで動作する情報送信方法を提供し、図２は、本開示実施例に係る情報送信方法のフローチャートであり、図２に示すように、該プロセスは次のステップを含む。
【００１９】
ステップＳ２０２において、送信待ちの上り情報および／またはリファレンス信号を確定する。
【００２０】
ステップＳ２０４において、上り情報および／またはリファレンス信号を第１シーケンスで通信ノードに送信する。
【００２１】
上述したステップにより、上り情報および／またはリファレンス信号は、第１シーケンスで通信ノードに送信し、シーケンスをリファレンス信号として使用し、または、直接上り情報を搬送することは、キュービックメトリックが小さく、アンプ効率が高いなどの利点があり、櫛状伝送の際にシーケンスを用いて上り情報を送信する技術案を提供し、隣接セルが使用するシーケンスインデックスが異なる場合、セル間干渉を低減し、システム全体の性能を向上させる効果もある。
【００２２】
いくつかの実施例において、上述したステップの実行主体は端末などであってもよく、通信ノードは基地局などであってもよいが、これに限定されない。
【００２３】
いくつかの実施例において、上り情報は、上り制御情報と上りデータ情報との少なくとも１つを含む。上り制御情報は、ハイブリッド自動再送要求応答（ＨＡＲＱ−ＡＣＫ）情報を含む。
【００２４】
本実施例の送信形態は、以下の３つを含む。
【００２５】
形態１において、上り情報をシーケンスに直接載せて送信する。
【００２６】
形態２において、上り情報を変調してから、シーケンスに載せて送信し、リファレンス信号もシーケンスに載せて送信する。
【００２７】
形態３において、上り情報を、変調と符号化を経てから、対応するシンボルに対応するサブキャリアで送信し、リファレンス信号を、シーケンスに載せて送信する。
【００２８】
以下に例を挙げて詳細に説明する。
【００２９】
本実施例の１つの形態において、第１シーケンスで上り情報を通信ノードに送信することは、上り情報の（情報）数が２つ以下（すなわち、小さいか等しい）の場合、Ｋ１個のシンボルのＬ個のサブキャリアで１つ以上の長さがＭである第１シーケンスを送信し、上り情報は、第１シーケンスに載せられ、Ｋ１≧１であり、Ｌは２以上の整数であり、Ｍ≦Ｌである。
【００３０】
本実施例の１つの形態において、第１シーケンスで上り情報とリファレンス信号を通信ノードに送信することは、Ｋ２個のシンボルのＬ個のサブキャリアで上り情報と上り情報に対応するリファレンス信号を送信することを含む。
【００３１】
いくつかの実施例において、Ｋ２個のシンボルのＬ個のサブキャリアで上り制御情報と上り制御情報に対応するリファレンス信号を送信することは、長さがＭである第１シーケンスによってＫ２個のシンボル内のｘ個のシンボルのＭ個のサブキャリアで、変調された上り制御情報を送信し、長さがＭであるシーケンスによってＫ２−ｘ個のシンボルのＭ個のサブキャリアで対応するリファレンス信号を送信することを含み、ただし、第１シーケンスのＭ個の値は、Ｍ個のサブキャリアにマッピングされ、Ｋ２≧２であり、Ｌは２以上の整数であり、好ましくはＬの値は３または１２の倍数であり、Ｍ≦Ｌであり、０＜ｘ＜Ｋ２である。
【００３２】
いくつかの実施例において、Ｋ２個のシンボルのＬ個のサブキャリアで上り制御情報と上り制御情報に対応するリファレンス信号を送信することは、Ｋ２個のシンボル内のｘ個のシンボルのＭ個のサブキャリアで符号化して変調された上り制御情報を送信し、長さがＭであるシーケンスによってＫ２−ｘ個のシンボルのＭ個のサブキャリアで対応するリファレンス信号を送信することを含み、ただし、シーケンスのＭ個の値は、Ｍ個のサブキャリアにマッピングされ、Ｋ２≧２であり、Ｌは２以上の整数であり、０＜ｘ＜Ｋ２であり、Ｍ≦Ｌである。
【００３３】
いくつかの実施例において、Ｌの値は３または１２の倍数である。
【００３４】
本実施例の１つの形態において、第１シーケンスは、長さがＭであるシーケンスセットのサブセットであり、Ｍは、上り情報またはリファレンス信号に使用されるサブキャリアの数に対応し、Ｍ＝６であり、シーケンスセットは、３０個のシーケンスを含み、３０個のシーケンスは、
各シーケンスの異なる循環シフトは直交することと、
各シーケンスのキュービックメトリック（立方メトリックともいう）（Ｃｕｂｉｃ  Ｍｅｔｒｉｃ、ＣＭ）値は、第１ＣＭプリセット値を超えないことと、
各シーケンスのピーク対平均電力比ＰＡＰＲ値は、第１ＰＡＰＲプリセット値を超えないことと、
任意の２つのシーケンスの相互相関は、第１相互相関プリセット値を超えないことと、
の少なくとも１つの条件を満たす。
【００３５】
本実施例の１つの形態において、シーケンスセットのいずれかのシーケンスｘｉ（ｎ）は、以下の式で表す。
ｘｉ（ｎ）＝ｅｘｐ（ｊπφ（ｎ）／４）
【００３６】
ただし、ｉはシーケンスインデックスであり、ｎ＝０，１，…，Ｌ−１であり、ｉとφ（ｎ）の値は、表１に示すようにプリセットの対応関係であり、または、表１の各行の対応するシーケンスの循環シフトである。なお、シーケンスインデックスは異なるシーケンスを区別するためだけに使用され、ｉとφ（ｎ）の対応関係は表１に示すものに限定されず、例えば、表１において、ｉ＝０に対応するφ（ｎ）は［１  １  １  −１  ３  −３］であり、ｉ＝１に対応するφ（ｎ）は［１  １  １  −１  −３  １］であり、実際には、ｉ＝０に対応するφ（ｎ）は［１  １  １  −１  −３  １］であり、ｉ＝１の場合、対応するφ（ｎ）は［１  １  １  −１  ３  −３］であることに置き換えても本出願の保護範囲内であり、残りは同じで繰り返し説明しない。
【００３７】
【表１】
2021506158.tif 000003
【００３８】
ただし、第１ＣＭプリセット値は１．２であり、第１ＰＡＰＲプリセット値は３．７６であり、第１相互相関プリセット値は０．９３１０である。
【００３９】
本実施例の１つの形態において、第１シーケンスは、長さがＭであるシーケンスセットのサブセットであり、Ｍは、上り情報またはリファレンス信号に使用されるサブキャリアの数に対応し、Ｍ＝６であり、シーケンスセットは、１４個のシーケンスを含み、１４個のシーケンスは、
各シーケンスの異なる循環シフトは直交することと、
各シーケンスのキュービックメトリックＣＭ値は、第２ＣＭプリセット値を超えないことと、
各シーケンスのピーク対平均電力比ＰＡＰＲ値は、第２ＰＡＰＲプリセット値を超えないことと、
任意の２つのシーケンスの相互相関は、第２相互相関プリセット値を超えないことと、
の少なくとも１つの条件を満たす。
【００４０】
本実施例の１つの形態において、シーケンスセットのいずれかのシーケンスｘｉ（ｎ）は、以下の式で表す。
ｘｉ（ｎ）＝ｅｘｐ（ｊπφ（ｎ）／４）
【００４１】
ただし、ｉはシーケンスインデックスであり、ｎ＝０，１，…，Ｍ−１であり、ｉとφ（ｎ）の値は、表２に示すようにプリセットの対応関係であり、または、表２の各行の対応するシーケンスの循環シフトである。
【００４２】
【表２】
2021506158.tif 000004
【００４３】
ただし、第２ＣＭプリセット値は３であり、第２ＰＡＰＲプリセット値は５．３であり、第２相互相関プリセット値は０．７５である。
【００４４】
本実施例の１つの形態において、第１シーケンスは、長さがＭであるシーケンスセットのサブセットであり、Ｍは、上り情報またはリファレンス信号に使用されるサブキャリアの数に対応し、シーケンスセットは、１４個のシーケンスを含み、１４個のシーケンスは、
各シーケンスの異なる循環シフトは直交することと、
各シーケンスのキュービックメトリックＣＭ値は、第３ＣＭプリセット値を超えないことと、
各シーケンスのピーク対平均電力比ＰＡＰＲ値は、第３ＰＡＰＲプリセット値を超えないことと、
任意の２つのシーケンスの相互相関は、第３相互相関プリセット値を超えないことと、
各シーケンスと長さが１２である第１既存シーケンス（第１既存シーケンスは、第１シーケンスとは異なり、既存シーケンスは、既知または既存のシーケンスであってもよい）との相互相関は、第４プリセット値を超えないことと、
の少なくとも１つの条件を満たす。
【００４５】
本実施例の１つの形態において、シーケンスセットのいずれかのシーケンスｘｉ（ｎ）は、以下の式で表す。
ｘｉ（ｎ）＝ｅｘｐ（ｊπφ（ｎ）／４）
【００４６】
ただし、ｉはシーケンスインデックスであり、ｎ＝０，１，…，Ｍ−１であり、ｉとφ（ｎ）の値は、表３に示すようにプリセットの対応関係であり、または、表３の各行の対応するシーケンスの循環シフトである。
【００４７】
【表３】
2021506158.tif 000005
【００４８】
ただし、第３ＣＭプリセット値は２．６であり、第３ＰＡＰＲプリセット値は５であり、第３相互相関プリセット値は０．８であり、第４相互相関プリセット値は０．９４である。
【００４９】
ただし、第１既存シーケンスｙｉ（ｎ）は、以下の式で表す。
ｙｉ（ｎ）＝ｅｘｐ（ｊπφ（ｎ）／４）
【００５０】
ただし、ｉはシーケンスインデックスであり、ｎ＝０，１，…，１１であり、ｉとφ（ｎ）の値は、表４または表５に示すようにプリセットの対応関係であり、または、表４または表５の各行の対応するシーケンスの循環シフトである。
【００５１】
【表４】
2021506158.tif 000006
【００５２】
【表５】
2021506158.tif 000007
【００５３】
本実施例の１つの形態において、第１シーケンスは、長さがＭであるシーケンスセットのサブセットであり、Ｍは、上り情報またはリファレンス信号に使用されるサブキャリアの数に対応し、Ｍ＝１２であり、シーケンスセットは、３０個のシーケンスを含み、３０個のシーケンスは、
各シーケンスの異なる循環シフトは直交することと、
各シーケンスのキュービックメトリックＣＭ値は、第４ＣＭプリセット値を超えないことと、
各シーケンスのピーク対平均電力比ＰＡＰＲ値は、第４ＰＡＰＲプリセット値を超えないことと、
任意の２つのシーケンスの相互相関は、第５相互相関プリセット値を超えないことと、
各シーケンスと長さが１２である第２既存シーケンスとの相互相関は、第６プリセット値を超えないことと、
の少なくとも１つの条件を満たす。
【００５４】
本実施例の１つの形態において、シーケンスセットのいずれかのシーケンスｘｉ（ｎ）は、以下の式で表す。
ｘｉ（ｎ）＝ｅｘｐ（ｊπφ（ｎ）／４）
【００５５】
ただし、ｉはシーケンスインデックスであり、ｎ＝０，１，…，Ｍ−１であり、ｉとφ（ｎ）の値は、表６に示すようにプリセットの対応関係であり、または、表６の各行の対応するシーケンスの循環シフトである。
【００５６】
【表６】
2021506158.tif 000008
【００５７】
ただし、第４ＣＭプリセット値は０．６８であり、第４ＰＡＰＲプリセット値は２．８であり、第５相互相関プリセット値は０．７４であり、第６相互相関プリセット値は０．８２５である。
【００５８】
ただし、第２既存シーケンスｙｉ（ｎ）は、以下の式で表す。
ｙｉ（ｎ）＝ｅｘｐ（ｊπφ（ｎ）／４）
【００５９】
ただし、ｉはシーケンスインデックスであり、ｎ＝０，１，…，1１であり、ｉとφ（ｎ）の値は、表６に示すようにプリセットの対応関係であり、または、表６の各行の対応するシーケンスの循環シフトである
【００６０】
本実施例の１つの形態において、第１シーケンスは、長さがＭであるシーケンスセットのサブセットであり、Ｍは、上り情報またはリファレンス信号に使用されるサブキャリアの数に対応し、Ｍ＝１８であり、シーケンスセットは、３０個のシーケンスを含み、３０個のシーケンスは、
各シーケンスの異なる循環シフトは直交することと、
各シーケンスのキュービックメトリックＣＭ値は、第５ＣＭプリセット値を超えないことと、
各シーケンスのピーク対平均電力比ＰＡＰＲ値は、第５ＰＡＰＲプリセット値を超えないことと、
任意の２つのシーケンスの相互相関は、第６相互相関プリセット値を超えないことと、
各シーケンスと長さが１８である第３既存シーケンスとの相互相関は、第７プリセット値を超えないことと、
の少なくとも１つの条件を満たす。
【００６１】
本実施例の１つの形態において、シーケンスセットのいずれかのシーケンスｘｉ（ｎ）は、以下の式で表す。
ｘｉ（ｎ）＝ｅｘｐ（ｊπφ（ｎ）／４）
【００６２】
ただし、ｉはシーケンスインデックスであり、ｎ＝０，１，…，Ｍ−１であり、ｉとφ（ｎ）の値は、表７に示すようにプリセットの対応関係であり、または、表７の各行の対応するシーケンスの循環シフトである。
【００６３】
【表７】
2021506158.tif 000009
【００６４】
ただし、第５ＣＭプリセット値は０．６であり、第４ＰＡＰＲプリセット値は２．９であり、第６相互相関プリセット値は０．６であり、第７相互相関プリセット値は０．７である。
【００６５】
ただし、長さが１８である第３既存シーケンスｙｉ（ｎ）は、以下の式で表す。
ｙｉ（ｎ）＝ｅｘｐ（ｊπφ（ｎ）／４）
ただし、ｉはシーケンスインデックスであり、ｎ＝０，１，…，１７であり、ｉとφ（ｎ）の値は、表８に示すようにプリセットの対応関係であり、または、表８の各行の対応するシーケンスの循環シフトである。
【００６６】
【表８】
2021506158.tif 000010
【００６７】
本実施例の１つの形態において、第１シーケンスは、長さがＭであるシーケンスセットのサブセットであり、Ｍは、上り情報またはリファレンス信号に使用されるサブキャリアの数に対応し、Ｍ＝２４であり、シーケンスセットは、３０個のシーケンスを含み、３０個のシーケンスは、
各シーケンスの異なる循環シフトは直交することと、
各シーケンスのキュービックメトリックＣＭ値は、第６ＣＭプリセット値を超えないことと、
各シーケンスのピーク対平均電力比ＰＡＰＲ値は、第６ＰＡＰＲプリセット値を超えないことと、
任意の２つのシーケンスの相互相関は、第８相互相関プリセット値を超えないことと、
各シーケンスと長さが２４である第４既存シーケンスとの相互相関は、第９プリセット値を超えないことと、
の少なくとも１つの条件を満たす。
【００６８】
本実施例の１つの形態において、シーケンスセットのいずれかのシーケンスｘｉ（ｎ）は、以下の式で表す。
ｘｉ（ｎ）＝ｅｘｐ（ｊπφ（ｎ）／４）
【００６９】
ただし、ｉはシーケンスインデックスであり、ｎ＝０，１，…，Ｍ−１であり、ｉとφ（ｎ）の値は、表９に示すようにプリセットの対応関係であり、または、表９の各行の対応するシーケンスの循環シフトである。
【００７０】
【表９】
2021506158.tif 000011
【００７１】
ただし、第５ＣＭプリセット値は０．６４であり、第４ＰＡＰＲプリセット値は３．４であり、第６相互相関プリセット値は０．５５であり、第７相互相関プリセット値は０．６２である。
【００７２】
ただし、長さが２４である第４既存シーケンスｙｉ（ｎ）は、以下の式で表す。
ｙｉ（ｎ）＝ｅｘｐ（ｊπφ（ｎ）／４）
【００７３】
ただし、ｉはシーケンスインデックスであり、ｎ＝０，１，…，２３であり、ｉとφ（ｎ）の値は、表１０に示すようにプリセットの対応関係であり、または、表１０の各行の対応するシーケンスの循環シフトである。
【００７４】
【表１０】
2021506158.tif 000012
【００７５】
いくつかの実施例において、上述した実施形態の循環シフトｙｉ（ｎ，α）は、ｙｉ（ｎ，α）＝ｘｉ（ｎ）ｅｘｐ（ｊ・２παｎ／Ｌ）によって表される。ただし、αは循環シフト量であり、値はα∈｛０，１，２，…，Ｌ−１｝である。
【００７６】
いくつかの実施例において、シーケンスインデックスｉは、セル識別子に基づいて確定し、循環シフト量αは、基地局の指示シグナリングに基づいて確定し、または、シーケンスインデックスｉと循環シフト量αは、基地局の指示シグナリングに基づいて確定する。
【００７７】
前記実施形態の説明により、当業者は前記実施例の方法がソフトウェアと必要となる一般的なハードウェアプラットフォームの態様で実現でき、当然、ハードウェアのみでも実現でき、しかし、多くの場合前者はより好適な実施態様であることを明瞭に理解できる。この理解に基づき、本開示の技術案は本質上あるいは従来技術に貢献できる部分はソフトウェア製品の形で具体化でき、該コンピュータソフトウェア製品は、１つの記憶媒体（例えばＲＯＭ／ＲＡＭ、磁器ディスク、光ディスク）に記憶され、いくつかのコマンドを含んで一台の端末機器（携帯電話、コンピュータ、サーバー、あるいはネットワーク機器などであってもよい）に本開示の各実施例を実行させる。
【００７８】
実施例２
本実施例は、情報送信装置をさらに提供し、該装置は上述した実施例および好ましい実施形態を実現するために用いられ、説明したものはここでは繰り返し説明しない。例えば、以下で使用される用語「モジュール」は予め設定した機能を実現できるソフトウェアおよび／又はハードウェアとの組み合わせであっても良い。以下の実施例で説明する装置はソフトウェアで実現するものが好適であるが、ハードウェア、あるいはソフトウェアとハードウェアの組み合わせでの実現も考えられる。
【００７９】
図３は、本開示実施例に係る情報送信装置の構造ブロック図であり、図３に示すように、
送信待ちの上り情報および／またはリファレンス信号を確定することに用いられる確定モジュール３０と、
上り情報および／またはリファレンス信号を第１シーケンスで通信ノードに送信することに用いられる送信モジュール３２と、を備える。
【００８０】
なお、前記各モジュールはソフトウェア又はハードウェアで実現できる。後者の場合は、以下の態様で実現できるが、それに限定されない。前記モジュールはすべて同じプロセッサーに位置するか、あるいは、前記各モジュールは任意組み合わせの形で異なるプロセッサーに位置する。
【００８１】
実施例３
本実施例は本開示の好ましい実施例に基づくものであり、具体的な実施態様に結び付けて本出願に対して詳しい説明を行うことに用いられる。
【００８２】
具体的な実施例１
図４は、本開示の具体的な実施例１に係る情報送信の模式図である。図４に示すように、ＨＡＲＱ−ＡＣＫ情報は、２つのシンボルで送信し、すなわちＫ＝２である。前記ＨＡＲＱ−ＡＣＫ情報の数が２ビットを超えない場合、前記１ビットまたは２ビットのＨＡＲＱ−ＡＣＫ情報は、シーケンスセレクタを経て、１つのシーケンスｘｉｓ１（ｎ）または２つのシーケンスｘｉｓ１（ｎ）およびｘｉｓ２（ｎ）を選択する。本実施例において、２ビットのＨＡＲＱ−ＡＣＫ情報を送信する必要があると仮定し、シーケンスセレクタが１つのシーケンスｘｉｓ１（ｎ）を出力する場合、シーケンスｘｉｓ２（ｎ）は、シーケンスｘｉｓ１（ｎ）との事前に定義された方法に基づいて確定し、そうでなければ、シーケンスセレクタは、２つのシーケンスｘｉｓ１（ｎ）およびｘｉｓ２（ｎ）を直接出力する。次いで、前記シーケンスｘｉｓ１（ｎ）およびｘｉｓ２（ｎ）は、それぞれ前記２つのシンボルにマッピングされる。ただし、シーケンスｘｉｓ１（ｎ）およびｘｉｓ２（ｎ）の候補シーケンスセットは、シーケンスセット｛ｘｉ（ｎ）｝内のシーケンスであり、シーケンスｘｉ（ｎ）が以下の式を満たす。
ｘｉ（ｎ）＝ｅｘｐ（ｊπφ（ｎ）／４）
【００８３】
ただし、ｉはシーケンスインデックスであり、φ（ｎ）は所定のパラメータであり、ｉとφ（ｎ）の値は、表１／２／３／６／７／９、または表１／２／３／６／７／９の各行の循環シフトである。
【００８４】
端末は、送信する上り情報によって占有される周波数領域のリソースに基づき、表１／２／３／６／７／９のいずれかの表のいずれか（表１−１０のｉの値に対応し、以下は同じ）のシーケンスを確定して選択する。
【００８５】
例えば、端末は、送信する上り情報が周波数領域で６つのサブキャリアを占有すると確定すると、表１／２／３のいずれかの表のいずれか（表の中のｉの値に対応する）のシーケンスを選択して送信する。
【００８６】
端末は、送信する上り情報が周波数領域で１２個のサブキャリアを占有すると確定すると、表６のいずれか（表の中のｉの値に対応する）のシーケンスを選択して送信する。
【００８７】
端末は、送信する上り情報が周波数領域で１８個のサブキャリアを占有すると確定すると、表７のいずれか（表の中のｉの値に対応する）のシーケンスを選択して送信する。
【００８８】
端末は、送信する上り情報が周波数領域で２４個のサブキャリアを占有すると確定すると、表９のいずれか（表の中のｉの値に対応する）のシーケンスを選択して送信する。
【００８９】
ただし、シーケンスインデックスｉは、セル識別子に基づいて確定し、循環シフト量αは、基地局の指示シグナリングに基づいて確定し、または、シーケンスインデックスｉと循環シフト量αは、基地局の指示シグナリングに基づいて確定する。
【００９０】
具体的な実施例２
図５は、本開示の具体的な実施例２に係る情報送信の模式図である。図５に示すように、上り情報は、２つのシンボルで送信し、すなわちＫ＝２であり、ここで、１番目のシンボルはリファレンス信号を送信するために用いられ、２番目のシンボルは上り制御情報を送信するために用いられる。前記上り制御情報の数が２ビットを超えない場合、前記１ビットまたは２ビットの上り制御情報は、ＢＰＳＫまたはＱＰＳＫによって変調して変調シンボルｄを得て、変調シンボルｄとシーケンスｘｉｓ（ｎ）とを乗算して、上り制御情報を送信するためのシンボルにマッピングされる。シーケンスｘｉＲ（ｎ）は、リファレンス信号を送信するためのシンボルに直接マッピングされる。ただし、シーケンスｘｉｓ（ｎ）とシーケンスｘｉＲ（ｎ）は同じシーケンスインデックスｉを有するシーケンスであり、両者は同じ循環シフトを有してもよく、異なる循環シフトを有してもよい。さらに、前記シーケンスｘｉｓ（ｎ）とシーケンスｘｉＲ（ｎ）のシーケンスは、シーケンスセット｛ｘｉ（ｎ）｝内のシーケンスであり、シーケンスｘｉ（ｎ）は、以下の式を満たす。
ｘｉ（ｎ）＝ｅｘｐ（ｊπφ（ｎ）／４）
【００９１】
ただし、ｉはシーケンスインデックスであり、φ（ｎ）は所定のパラメータであり、ｉとφ（ｎ）の値は、表１／２／３／６／７／９、または表１／２／３／６／７／９の各行の循環シフトである。
【００９２】
端末は、送信する上り情報によって占有される周波数領域のリソースに基づき、表１／２／３／６／７／９のいずれかの表のいずれか（表のｉの値に対応する）のシーケンスを確定して選択する。
【００９３】
例えば、端末は、送信する上り情報が周波数領域で６つのサブキャリアを占有すると確定すると、表１／２／３のいずれかの表のいずれか（表の中のｉの値に対応する）のシーケンスを選択して送信する。
【００９４】
端末は、送信する上り情報が周波数領域で１２個のサブキャリアを占有すると確定すると、表６のいずれか（表の中のｉの値に対応する）のシーケンスを選択して送信する。
【００９５】
端末は、送信する上り情報が周波数領域で１８個のサブキャリアを占有すると確定すると、表７のいずれか（表の中のｉの値に対応する）のシーケンスを選択して送信する。
【００９６】
端末は、送信する上り情報が周波数領域で２４個のサブキャリアを占有すると確定すると、表９のいずれか（表の中のｉの値に対応する）のシーケンスを選択して送信する。
【００９７】
ただし、シーケンスインデックスｉは、セル識別子に基づいて確定し、循環シフト量αは、基地局の指示シグナリングに基づいて確定し、または、シーケンスインデックスｉと循環シフト量αは、基地局の指示シグナリングに基づいて確定する。
【００９８】
具体的な実施例３
【００９９】
図６は、本開示の具体的な実施例３に係る情報送信の模式図である。図６に示すように、上り情報は、４つのシンボルで送信し、すなわちＫ＝４であり、ここで、１番目のシンボルはリファレンス信号を送信するために用いられ、残りの３つのシンボルは上り情報を送信するために用いられる。前記上り情報は、符号化、変調、プリコーディングなどの操作を経て、上り情報を送信するためのシンボルにマッピングされる。シーケンスｘｉＲ（ｎ）は、リファレンス信号を送信するためのシンボルに直接マッピングされる。さらに、前記シーケンスｘｉｓ（ｎ）とシーケンスｘｉＲ（ｎ）のシーケンスは、シーケンスセット｛ｘｉ（ｎ）｝内のシーケンスであり、シーケンスｘｉ（ｎ）は、以下の式を満たす。
ｘｉ（ｎ）＝ｅｘｐ（ｊπφ（ｎ）／４）
【０１００】
ただし、ｉはシーケンスインデックスであり、φ（ｎ）は所定のパラメータであり、ｉとφ（ｎ）の値は、表１／２／３／６／７／９、または表１／２／３／６／７／９の各行の循環シフトである。
【０１０１】
具体的な実施例４
図７は、本開示の具体的な実施例４に係る情報送信の模式図である。図７に示すように、上り情報は、４つのシンボルで送信し、すなわちＫ＝４であり、ここで、１番目のシンボルはリファレンス信号を送信するために用いられ、残りの３つのシンボルは上り情報を送信するために用いられる。ここで、前記上り情報は、櫛状の態様を採用して伝送が行われ、つまり、上り情報は、割り当てられた周波数領域のリソースに対応する奇数または偶数のサブキャリアだけに載せられて伝送される。さらに、前記上り情報は、符号化、変調、プリコーディングなどの操作を経て、上り情報を送信するためのシンボルにマッピングされる。シーケンスｘｉＲ（ｎ）は、リファレンス信号を送信するためのシンボルに直接マッピングされる。さらに、前記シーケンスｘｉｓ（ｎ）とシーケンスｘｉＲ（ｎ）のシーケンスは、シーケンスセット｛ｘｉ（ｎ）｝内のシーケンスであり、シーケンスｘｉ（ｎ）は、以下の式を満たす。
ｘｉ（ｎ）＝ｅｘｐ（ｊπφ（ｎ）／４）
【０１０２】
ただし、ｉはシーケンスインデックスであり、φ（ｎ）は所定のパラメータであり、ｉとφ（ｎ）の値は、表１／２／３／６／７／９、または表１／２／３／６／７／９の各行の循環シフトである。
【０１０３】
端末は、送信する上り情報によって占有される周波数領域のリソースに基づき、表１／２／３／６／７／９のいずれかの表のいずれか（表のｉの値に対応する）のシーケンスを確定して選択する。
【０１０４】
例えば、端末は、送信する上り情報が周波数領域で６つのサブキャリアを占有すると確定すると、表１／２／３のいずれかの表のいずれか（表の中のｉの値に対応する）のシーケンスを選択して送信する。
【０１０５】
端末は、送信する上り情報が周波数領域で１２個のサブキャリアを占有すると確定すると、表６のいずれか（表の中のｉの値に対応する）のシーケンスを選択して送信する。
【０１０６】
端末は、送信する上り情報が周波数領域で１８個のサブキャリアを占有すると確定すると、表７のいずれか（表の中のｉの値に対応する）のシーケンスを選択して送信する。
【０１０７】
端末は、送信する上り情報が周波数領域で２４個のサブキャリアを占有すると確定すると、表９のいずれか（表の中のｉの値に対応する）のシーケンスを選択して送信する。
【０１０８】
ただし、シーケンスインデックスｉは、セル識別子に基づいて確定し、循環シフト量αは、基地局の指示シグナリングに基づいて確定し、または、シーケンスインデックスｉと循環シフト量αは、基地局の指示シグナリングに基づいて確定する。
【０１０９】
ただし、シーケンスのキュービックメトリック（ＣＭ）は、以下の式のいずれかに基づいて計算される。
【０１１０】
【数１】
2021506158.tif 000013
【０１１１】
ただし、
【数２】
2021506158.tif 000014
であり、
【数３】
2021506158.tif 000015
である。
【０１１２】
シーケンスのピーク対平均電力比は、以下の式に基づいて計算される。
【数４】
2021506158.tif 000016
【０１１３】
ｍｅａｎは平均を求めることを表す。
【０１１４】
２つのシーケンスの相互相関は、以下の方法のいずれかに基づいて計算される。
方法１：  ｘｃｏｒｒ＿ｃｏｅｆｆｓ＝ａｂｓ（ＮＦＦＴ＊ＩＦＦＴ（ｓｅｑ１．＊ｃｏｎｊ（ｓｅｑ２），ＮＦＦＴ）／ｌｅｎｇｔｈ（ｓｅｑ１））
方法２：  ｘｃｏｒｒ＿ｃｏｅｆｆｓ＝ａｂｓ（ｓｕｍ（（ｓｅｑ１．＊ｃｏｎｊ（ｓｅｑ２）））／ｌｅｎｇｔｈ（ｓｅｑ１）
【０１１５】
ただし、ＮＦＦＴは（Ｉ）ＦＦＴ操作の点数を表し、ｃｏｎｊは共役を表し、ｌｅｎｇｔｈは長さを表し、ｓｅｑ１とｓｅｑ２は周波数領域における２つのシーケンスであり、ａｂｓは絶対値を表し、ｓｕｍは合計を表す。
【０１１６】
方法２については、表１／２／３／６／７／９のいずれかのシーケンスの異なる循環シフトと、表１／２／３／６／７／９の他のいずれかのシーケンスの異なる循環シフトとの相関値を計算する必要がある。
【０１１７】
表１（Ｍ＝６）については、表１１に示すようなプロパティを有する。
【０１１８】
【表１１】
2021506158.tif 000017
【０１１９】
表２（Ｍ＝６）については、表１２に示すようなプロパティを有する。
【０１２０】
【表１２】
2021506158.tif 000018
【０１２１】
表３（Ｍ＝６）については、表１３に示すようなプロパティを有する。
【０１２２】
【表１３】
2021506158.tif 000019
【０１２３】
表６（Ｍ＝１２）については、表１４に示すようなプロパティを有する。
【０１２４】
【表１４】
2021506158.tif 000020
【０１２５】
表７（Ｍ＝１８）については、表１５に示すようなプロパティを有する。
【０１２６】
【表１５】
2021506158.tif 000021
【０１２７】
表９（Ｍ＝２４）については、表１６に示すようなプロパティを有する。
【０１２８】
【表１６】
2021506158.tif 000022
【０１２９】
ただし、ＣＭは上述した２番目のＣＭを計算する式を採用して計算され、相互相関は上述した１番目の相互相関を計算する式を採用して得られたものであり、Ｎ＿ＦＦＴ＝３２Ｍであり、Ｍはシーケンスの長さである。
【０１３０】
表の中のシーケンスまたはそのサブセットをリファレンス信号または直接上り情報として採用することにより、キュービックメトリックが小さく、アンプ効率が高いなどの利点があり、特に、隣接セルが使用するシーケンスインデックスが異なる場合、セル間干渉を低減し、システム全体の性能を向上させる効果もある。
【０１３１】
実施例４
本開示実施例は、さらに記憶媒体を提供する。該記憶媒体はプログラムを記憶するために用いられ、前記プログラムが作動されると、上述したいずれか１項の方法を実行する。
【０１３２】
Ｓ１において、送信待ちの上り情報および／またはリファレンス信号を確定する。
【０１３３】
Ｓ２において、上り情報および／またはリファレンス信号を第１シーケンスで通信ノードに送信する。
【０１３４】
いくつかの実施例において、本実施例において、前記コンピュータの記憶媒体は、ＵＳＢメモリー、読み出し専用メモリー（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、可搬型ディスク、磁気ディスクあるいは光ディスクなど各種プログラムコードを記憶できる媒体を含んでもよいが、それに限定されない。
【０１３５】
本開示実施例は、プロセッサーを提供する。該プロセッサーはプログラムを作動させるために用いられ、該プログラムが作動されると、上述したいずれか１項の方法のステップを実行する。
【０１３６】
いくつかの実施例において、本実施例において、上述したプログラムは以下のステップの実行に用いられる。
【０１３７】
Ｓ１において、送信待ちの上り情報および／またはリファレンス信号を確定する。
【０１３８】
Ｓ２において、上り情報および／またはリファレンス信号を第１シーケンスで通信ノードに送信する。
【０１３９】
いくつかの実施例において、本実施例における具体的な例は上述した実施例と好ましい実施形態において説明した例を参考できるため、ここでは繰り返し説明しない。
【０１４０】
当業者であれば、前記本開示の各モジュールと各ステップは、汎用的な計算装置で実現可能であり、１つの計算装置に集中してもよいか、あるいは、複数の計算装置からなるネットワークに分布してもよく、いくつかの実施例において、計算装置における実行可能なプログラムコードで実現可能であるため、メモリー装置に記憶されて計算装置により実行してもよく、且ついくつかの状況では、ここで示すか又は説明したステップとは異なる順序で実行してもよく、あるいは、それぞれ集積回路のモジュールにし、あるいは、それらの複数のモジュール又はステップを単体の集積回路のモジュールにして実現する。これにより、本開示は特定のハードウェアとソフトウェアの組み合わせに制限されない。
【０１４１】
上記内容は、本開示の好ましい実施例にすぎず、本開示はそれに限定されず、当業者にとって、本開示は各種の変更および変化を有してもよい。本開示の精神と原則内で行われる任意の修正、同等の代替、改良などは、すべて本開示の保護範囲内に含まれるべきである。
【図１】
2021506158.tif 000033
【図２】
2021506158.tif 000034
【図３】
2021506158.tif 000035
【図４】
2021506158.tif 000036
【図５】
2021506158.tif 000037
【図６】
2021506158.tif 000038
【図７】
2021506158.tif 000039
【国際調査報告】
2021506158.tif 000040
2021506158.tif 000041
2021506158.tif 000042
2021506158.tif 000043